(57)【要約】【課題】  毛を捕集し易いと共に、撫でるようにして毛を梳くことができて作業感が軽減するブラシを提供する。【解決手段】  ブラシ１１は、毛を捕集するために用いられ、可撓性を有する合成樹脂からなり、その一方面３３において外方側に突起する複数の突起部４１ａ〜４１ｃ等が形成され、平面視卵形状を有するシート体３１と、粘着性を有し、シート体３１の一方面３３の全面に形成された粘着層２０とから構成される。粘着層２０は、突起部４１ａ〜４１ｃ等の外面４３を覆うように形成されている。このように構成することで、毛が、突起部４１ａ〜４１ｃ等に形成された粘着層２０に粘着するため、毛を捕集し易い。又、使用者の手のひらで、シート体３１を保持し易くなるため、使用勝手が向上する。更に、シート体３１は湾曲し易くなるため、撫でるようにして毛を梳くことができて作業感が軽減する。【選択図】  図２
2018134002.tif 000002
【特許請求の範囲】
【請求項１】
毛を捕集するためのブラシであって、
可撓性を有する合成樹脂からなり、その一方面において外方側に突起する複数の突起部が形成されたシート体と、
粘着性を有し、前記シート体の前記一方面において少なくとも前記突起部の外面を覆うように形成された粘着層とを備えた、ブラシ。
【請求項２】
前記突起部の各々は、外方に向って先細り形状に形成される、請求項１記載のブラシ。
【請求項３】
前記突起部の各々は、先端が丸められた円錐形状を有し、高さが８ｍｍ〜１２ｍｍで、底面の直径が６ｍｍ〜８ｍｍである、請求項２記載のブラシ。
【請求項４】
前記突起部の各々は、先端が丸められた円柱形状に形成される、請求項１記載のブラシ。
【請求項５】
前記粘着層は、前記シート体の前記一方面の全面に形成される、請求項１から請求項４のいずれかに記載のブラシ。
【請求項６】
前記シート体は、上下非対称の平面視卵形状に形成される、請求項１から請求項５のいずれかに記載のブラシ。
【請求項７】
前記シート体の前記一方面の全周において、前記外方側に突起する堰部が形成され、
前記堰部の高さは、前記突起部の高さよりも低い、請求項１から請求項６のいずれかに記載のブラシ。
【発明の詳細な説明】
【技術分野】
【０００１】
この発明はブラシに関し、特に愛玩動物（ペット）の毛を捕集するために使用されるブラシに関するものである。
【背景技術】
【０００２】
図１２は、特許文献１で開示された従来のペット用ブラシ兼用清掃具を示す斜視図である。
【０００３】
図を参照して、ペット用ブラシ兼用清掃具７１は、直方体形状の筐体７４と矩形板状の第１の基板７５とからなる基体７３と、第１の基板７５の第１ブラシ面７８に設置された短毛の傾斜パイルからなる捕塵ブラシ７９と、第１ブラシ面７８の反対に位置する筐体７４の第２ブラシ面８１に設置され、硬質プラスチック等からなる弾性を有するピン状のペット用ブラシ８２とから主に構成される。
【０００４】
ペット用ブラシ兼用清掃具７１の基体７３の筐体７４は、側面に形成された第１の開口８５を介して、内部に収納することができるように、第１の基板７５と接続されている。
【０００５】
使用に際して、ペット用ブラシ兼用清掃具７１の筐体７４を把持して動かし、ペット用ブラシ８２で、猫等の愛玩動物の毛を捕集する。又、床等に毛が付着した場合には、ペット用ブラシ兼用清掃具７１の捕塵ブラシ７９によって、毛を取り除くこともできる。
【０００６】
図１３は、特許文献２で開示された従来の他のペット用櫛を示す背側の斜視図である。
【０００７】
図を参照して、ペット用櫛１０１は、中央に指穴１０４が形成されたハンドル１０３と、ハンドル１０３の端部に位置する櫛歯固設部１０６に設置され、その両端に櫛歯保護突起１０７が形成された多数の櫛歯１０２とから主に構成される。
【０００８】
ペット用櫛１０１の櫛歯１０２は、ＰＡ（ポリアミド）等の合成樹脂からなり、付け根から先端方向に滑らかに細くすると共に、中間位置で背側に折り曲げて、更に先で弧を描いて腹側に曲げ、弧の終端に直線部を設けて、その先端を膨らませることなくまるめたものである。
【０００９】
このように構成することにより、愛玩動物の毛の捕集効率が高くなる。又、持ちやすい形状に形成されたハンドルによって、ブラッシング作業が容易に行える。
【先行技術文献】
【特許文献】
【００１０】
【特許文献１】特開２０１１−１５６１６９号公報
【特許文献２】特開２０１１−３６１７７号公報
【特許文献３】実開平３−７２７２２号公報
【発明の概要】
【発明が解決しようとする課題】
【００１１】
上記の図１２で示したペット用ブラシ兼用清掃具７１及び図１３で示したペット用櫛１０１は、愛玩動物の毛を捕集した後に、再度繰り返して使用するものであった。そのため、ペット用ブラシ兼用清掃具７１のペット用ブラシ８２及び捕塵ブラシ７９、ペット用櫛１０１の櫛歯１０２から、捕集した毛を除去することに手間がかかっていた。又、完全に毛を除去することができず、不衛生になる虞があった。更に、ペット用ブラシ兼用清掃具７１及びペット用櫛１０１を用いてブラッシングする際に、使用者にとっては、愛玩動物とのコミュニケーションが乏しくなり、作業感が生じてしまうものであった。
【００１２】
そこで、捕集した毛を収集し易くしたブラシ装置がある。
【００１３】
図１４は、特許文献３で開示された、このブラシ装置のブラシを示す斜視図であり、図１５は、図１４で示したブラシ装置の全体構造を示す斜視図である。
【００１４】
これらの図を参照して、ブラシ装置１３１は、ブラシ１３２と、ブラシ１３２から延びるホース１４３と、ブラシ１３２の反対に位置し、ホース１４３に連結された空気吸引装置１４６とから主に構成される。
【００１５】
ブラシ装置１３１のブラシ１３２は、中空形状のブラシ本体１３３と、ブラシ本体１３３に一体成形されたパイプ形状の把手１３５とからなる。
【００１６】
ブラシ１３２のブラシ本体１３３の一面には、数本の縦桟と横桟とで区切られ、吸引口１４１が形成された開口部１４０と、開口部１４０の周囲を囲うように内環状植毛部１３７及び外環状植毛部１３８とが形成されている。
【００１７】
使用に際して、ブラシ装置１３１のブラシ１３２で愛玩動物の毛を梳くとき、ブラシ本体１３３の開口部１４０の吸引口１４１を介して、外部の空気が空気吸引装置１４６に向って吸い込まれる。そして、ブラシ１３２の内環状植毛部１３７及び外環状植毛部１３８によって、捕集された毛は、吸引口１４１からブラシ本体１３３内に吸い込まれて、空気吸引装置１４６に収集されることになる。
【００１８】
しかし、このブラシ装置１３１では、捕集した毛が吸引口１４１付近に溜まり、吸引力が弱くなることがあった。又、ブラシ装置１３１の空気吸引装置１４６の動作音が、愛玩動物を怖がらせることになり、ブラッシングすることが困難となる場合があった。更に、ブラシ装置１３１を用いてブラッシングする際に、使用者にとっては作業感が生じてしまうものであった。
【００１９】
この発明は、上記のような課題を解決するためになされたもので、毛を捕集し易いと共に、撫でるようにして毛を梳くことができて作業感が軽減するブラシを提供することを目的とする。
【課題を解決するための手段】
【００２０】
上記の目的を達成するために、請求項１記載の発明は、毛を捕集するためのブラシであって、可撓性を有する合成樹脂からなり、その一方面において外方側に突起する複数の突起部が形成されたシート体と、粘着性を有し、シート体の一方面において少なくとも突起部の外面を覆うように形成された粘着層とを備えたものである。
【００２１】
このように構成すると、毛が、突起部に形成された粘着層に粘着する。又、シート体が撓む。
【００２２】
請求項２記載の発明は、請求項１記載の発明の構成において、突起部の各々は、外方に向って先細り形状に形成されるものである。
【００２３】
このように構成すると、毛を掻き出し易くなる。
【００２４】
請求項３記載の発明は、請求項２記載の発明の構成において、突起部の各々は、先端が丸められた円錐形状を有し、高さが８ｍｍ〜１２ｍｍで、底面の直径が６ｍｍ〜８ｍｍであるものである。
【００２５】
このように構成すると、毛をより一層掻き出し易くなる。
【００２６】
請求項４記載の発明は、請求項１記載の発明の構成において、突起部の各々は、先端が丸められた円柱形状に形成されるものである。
【００２７】
このように構成すると、鋭利な形状とならない。
【００２８】
請求項５記載の発明は、請求項１から請求項４のいずれかに記載の発明の構成において、粘着層は、シート体の一方面の全面に形成されるものである。
【００２９】
このように構成すると、毛が、突起部以外の粘着層にも粘着する。
【００３０】
請求項６記載の発明は、請求項１から請求項５のいずれかに記載の発明の構成において、シート体は、上下非対称の平面視卵形状に形成されるものである。
【００３１】
このように構成すると、使用者の手のひらで、シート体を保持し易くなる。又、シート体は湾曲し易くなる。更に、使用者の手の大きさに合わせて、上下逆さまにして使用することができる。
【００３２】
請求項７記載の発明は、請求項１から請求項６のいずれかに記載の発明の構成において、シート体の一方面の全周において、外方側に突起する堰部が形成され、堰部の高さは、突起部の高さよりも低いものである。
【００３３】
このように構成すると、シート体の強度が向上する。又、堰部によって毛の脱落が阻止される。
【発明の効果】
【００３４】
以上説明したように、請求項１記載の発明は、毛が、突起部に形成された粘着層に粘着するため、毛を捕集し易い。又、シート体が撓むため、撫でるようにして毛を梳くことができて作業感が軽減する。
【００３５】
請求項２記載の発明は、請求項１記載の発明の効果に加えて、毛を掻き出し易くなるため、毛の捕集力が向上する。
【００３６】
請求項３記載の発明は、請求項２記載の発明の効果に加えて、毛をより一層掻き出し易くなるため、毛の捕集力がより一層向上する。
【００３７】
請求項４記載の発明は、請求項１記載の発明の効果に加えて、鋭利な形状とならないため、ペットの皮膚を傷めにくくなり、毛を梳く際の快適性が増す。
【００３８】
請求項５記載の発明は、請求項１から請求項４のいずれかに記載の発明の効果に加えて、毛が、突起部以外の粘着層にも粘着するため、毛を保持し易くなる。
【００３９】
請求項６記載の発明は、請求項１から請求項５のいずれかに記載の発明の効果に加えて、使用者の手のひらで、シート体を保持し易くなるため、使用勝手が向上する。又、シート体は湾曲し易くなるため、撫でるようにして毛を梳き易くなって作業感がより軽減する。更に、使用者の手の大きさに合わせて、上下逆さまにして使用することができるため、使用勝手が更に向上する。
【００４０】
請求項７記載の発明は、請求項１から請求項６のいずれかに記載の発明の効果に加えて、シート体の強度が向上するため、シート体の厚みを減らすことが可能となる等、ブラシ全体が効率的な形状となる。又、堰部によって毛の脱落が阻止されるため、毛の捕集効率が向上する。
【図面の簡単な説明】
【００４１】
【図１】この発明の第１の実施の形態によるブラシを示す概略底面図である。
【図２】図１で示したＩＩ−ＩＩラインから見た概略端面図である。
【図３】図１で示したＩＩＩ−ＩＩＩラインから見た概略端面図である。
【図４】図２で示した“Ｘ”部分の概略拡大端面図である。
【図５】図１で示したブラシの使用状態を示す概略底面図である。
【図６】図５で示したブラシを湾曲させた状態を示す図であって、図５で示したＶＩ−ＶＩラインから見たブラシの概略端面図である。
【図７】図１で示したブラシの他の使用状態を示す概略底面図であって、図５に対応した図である。
【図８】この発明の第２の実施の形態によるブラシの概略端面図であって、図２に対応した図である。
【図９】図８で示した“Ｙ”部分の概略拡大端面図であって、図４に対応した図である。
【図１０】この発明の第３の実施の形態によるブラシの概略端面図であって、図２に対応した図である。
【図１１】図１０で示した“Ｚ”部分の概略拡大端面図であって、図４に対応した図である。
【図１２】特許文献１で開示された従来のペット用ブラシ兼用清掃具を示す斜視図である。
【図１３】特許文献２で開示された従来の他のペット用櫛を示す背側の斜視図である。
【図１４】特許文献３で開示された従来の他のブラシ装置のブラシを示す斜視図である。
【図１５】図１４で示したブラシ装置の全体構造を示す斜視図である。
【発明を実施するための形態】
【００４２】
図１は、この発明の第１の実施の形態によるブラシの使用面側を示す概略底面図であり、図２は、図１で示したＩＩ−ＩＩラインから見た概略端面図であり、図３は、図１で示したＩＩＩ−ＩＩＩラインから見た概略端面図であり、図４は、図２で示した“Ｘ”部分の概略拡大端面図である。
【００４３】
これらの図を参照して、ブラシ１１は、特に愛玩動物（ペット）の毛を捕集するためのブラシであって、ポリエチレンテレフタレート（ＰＥＴ）のような可撓性を有する合成樹脂からなり、その一方面３３において外方側に突起する複数の突起部４１ａ〜４１ｊ等が形成されたシート体３１と、ポリオレフィン樹脂からなるヒートシール剤のような粘着性（タック性）を有し、シート体３１の一方面３３の全面に形成された粘着層２０とから構成される。即ち、粘着層２０は、突起部４１ａ〜４１ｊ等の外面４３を覆うように形成されている。
【００４４】
ここでは、ブラシ１１は、ＰＥＴからなるシート体３１の一方面３３の全面に、ポリオレフィン樹脂からなるヒートシール剤の粘着層２０を塗布した後に、真空成形することで形成されている。
【００４５】
このように構成したブラシ１１を用いて愛玩動物の毛を梳くと、毛が、突起部４１ａ〜４１ｊ等に形成された粘着層２０に粘着するため、毛を捕集し易い。又、シート体３１において突起部４１ａ〜４１ｊ等以外の平坦部５４にも粘着層２０が形成されているので、毛が、突起部４１ａ〜４１ｊ等以外の粘着層２０にも粘着する。よって、毛を保持し易い。更に、ブラシ１１のシート体３１が撓むため、撫でるようにして毛を梳くことができる。そのため、使用者にとって、愛玩動物とのコミュニケーションが得られるので、作業感が軽減する。
【００４６】
ブラシ１１のシート体３１は、上下非対称の平面視卵形状に形成されている。ここでは、図１を参照して、平面視において、シート体３１の縦の長さＬ１は、１１０ｍｍに、シート体３１の横の長さＷ１は、８０ｍｍにそれぞれ設定されている。このように構成した理由については、後述する。
【００４７】
シート体３１に形成された突起部４１ａ〜４１ｊ等の各々は、図４で示したように先端４２が丸められた中空の円錐形状を有し、外方に向って先細り形状に形成されている。このように形成することで、ブラシ１１の先端４２が、愛玩動物の体表面付近に届き易くなり、毛を掻き出し易くなるため、毛の捕集力が向上する。ここでは、図１及び図２を参照して、突起部４１ａ〜４１ｊ等の各々の高さＨ１は、１０ｍｍに、突起部４１ａ〜４１ｊ等の各々の底面の直径Ｒ１は、７ｍｍにそれぞれ設定されている。尚、突起部４１ａ〜４１ｊ等の各々は、高さＨ１が、８ｍｍ〜１２ｍｍで、底面の直径Ｒ１が、６ｍｍ〜８ｍｍにそれぞれ設定されることが好ましい。このように設定することで、毛をより一層掻き出し易くなるため、毛の捕集力がより一層向上する。
【００４８】
シート体３１の突起部４１ａ〜４１ｊ等の各々は、図１で示したように、互いに隣接する３つの突起部が正三角形の頂点の位置にあるように、配置されている。例えば、ブラシ１１において、突起部４１ａと、突起部４１ｇと、突起部４１ｊとは、正三角形の頂点の位置に配置されている。これにより、突起部４１ａ〜４１ｊ等の各々は、シート体３１の一方面３３において均等に配置されることになり、後述するようにシート体３１を湾曲させ易くなる。尚、ここでは、図３において、突起部４１ａの先端と、突起部４１ｇの先端との距離（正三角形の一辺の長さ）は、１３．５ｍｍに設定されている。
【００４９】
シート体３１の一方面３３の全周には、外方側に突起する堰部５０が形成されている。図２で示したように、堰部５０の高さＨ２は、突起部４１ａ〜４１ｊ等の各々の高さＨ１よりも低く設定されている。ここでは、堰部５０の高さＨ２は、４ｍｍに、堰部５０の底面の断面視幅は、３ｍｍにそれぞれ設定されている。このように形成することによって、シート体３１の強度が向上するため、シート体の厚みを減らすことが可能となる等、ブラシ１１全体が効率的な形状となる。又、ブラシ１１の使用時に、堰部５０によって毛の脱落が阻止されるため、毛の捕集効率が向上する。
【００５０】
シート体３１において突起部４１ａ〜４１ｊ等以外の平坦部５４には、円錐形状を有し、堰部５０の高さＨ２よりも低い高さの小突起部４６ａ〜４６ｄ等が形成されている。ここでは、小突起部４６ａ〜４６ｄ等の各々の高さは、１ｍｍに、小突起部４６ａ〜４６ｄ等の各々の底面の直径は、１ｍｍにそれぞれ設定されている。このように形成されることによって、シート体３１の平坦部５４の実質的な表面積が大きくなり、ブラッシング時における毛との摩擦力が増加することになる。即ち、小突起部４６ａ〜４６ｄ等の外面にも粘着層２０が形成されているので、毛を保持し易くなる。
【００５１】
ブラシ１１は、合成樹脂からなるシート体３１と、ヒートシール剤からなる粘着層２０とから構成されているため、ブラシ１１の使用後は、捕集した毛と共に、ブラシ１１を廃棄しても良い。そのため、清掃の手間が不要であり、衛生的となる。
【００５２】
図５は、図１で示したブラシの使用状態を示す概略底面図であり、図６は、図５で示したブラシを湾曲させた状態を示す図であって、図５で示したＶＩ−ＶＩラインから見たブラシの概略端面図である。
【００５３】
図５を参照して、大人のような大きな手を有する使用者が、右手２でブラシ１１を把持した状態である。ブラシ１１の一方端部３７側（図５の右方側）には、右手２の親指４をそえ、ブラシ１１の他方端部３８側（図５の左方側）には、右手２の人差し指５、中指６、薬指７及び小指８をそえて、手のひら３でブラシ１１を保持している。
【００５４】
ブラシ１１のシート体３１は、平面視卵形状に形成されており、使用者の手のひら３で、ブラシ１１（シート体３１）を保持し易くなるため、使用勝手が向上している。尚、シート体３１は、平面視楕円形状に形成されても良い。この場合、同様の効果を奏する。
【００５５】
図６を参照して、図５で示した使用者の右手２によって、実線の矢印の方向へ、ブラシ１１を底面側（図６の下方側）へ湾曲させた状態である。ブラシ１１のシート体３１は、可撓性を有する合成樹脂からなり、平面視卵形状に形成されていることから、シート体３１は湾曲し易くなっている。従って、ブラシ１１を用いて撫でるようにして毛を梳くことができ、ブラシ１１の使用時における作業感が軽減する。
【００５６】
又、ブラシ１１において、図２で示したシート体３１の厚さＴは、０．３ｍｍに設定されている。このように設定することで、ブラシ１１は、湾曲し（撓み）易くなる。尚、シート体３１の湾曲し易さ及び強度の観点から、シート体３１の厚さＴは、０．１ｍｍ〜１．０ｍｍであることが好ましい。又、シート体３１の厚さＴは、０．２ｍｍ〜０．５ｍｍであることがより好ましい。
【００５７】
図７は、図１で示したブラシの他の使用状態を示す概略底面図であって、図５に対応した図である。
【００５８】
図を参照して、子どものような小さな手を有する使用者が、右手２でブラシ１１を把持した状態である。
【００５９】
このブラシ１１は、図５で示した状態のブラシ１１を平面視１８０度回転させた状態（上下逆さまにした状態）にしたものである。即ち、図７で示した状態のブラシ１１において、突起部４１ｄは、図７の下方側に、突起部４１ｉは、図７の上方側に、それぞれ位置している。
【００６０】
この状態のブラシ１１の他方端部３８側（図７の右方側）には、右手２の親指４をそえ、ブラシ１１の一方端部３７側（図７の左方側）には、右手２の人差し指５、中指６、薬指７及び小指８をそえて、手のひら３でブラシ１１を保持している。
【００６１】
ブラシ１１のシート体３１は、上述のように上下非対称の平面視卵形状に形成されており、図５又は図７で示した状態とすることで、使用者の手の大きさに合わせて、上下逆さまにして最適な使用状態にすることができる。これによって、使用勝手が更に向上している。
【００６２】
図８は、この発明の第２の実施の形態によるブラシの概略端面図であって、図２に対応した図であり、図９は、図８で示した“Ｙ”部分の概略拡大端面図であって、図４に対応した図である。
【００６３】
尚、この第２の実施の形態によるブラシ１２は、図１で示した第１の実施の形態によるブラシ１１と基本的な構成は同一である。ここでは、その相違点を中心に説明する。
【００６４】
これらの図を参照して、ブラシ１２のシート体３１に形成された突起部４１ａ〜４１ｃ等の各々において、先端４２が、図２及び図４で示したブラシ１１の先端４２に比べて、緩やかなカーブを描くように丸められた円錐形状に形成されている。このように形成することで、ブラッシングの際に、ブラシ１２の先端４２が、愛玩動物の体表面に接したとき、愛玩動物への衝撃が緩和される。よって、使用時におけるブラシ１２の快適性が向上する。
【００６５】
図１０は、この発明の第３の実施の形態によるブラシの概略端面図であって、図２に対応した図であり、図１１は、図１０で示した“Ｚ”部分の概略拡大端面図であって、図４に対応した図である。
【００６６】
尚、この第３の実施の形態によるブラシ１３は、図１で示した第１の実施の形態によるブラシ１１と基本的な構成は同一である。ここでは、その相違点を中心に説明する。
【００６７】
これらの図を参照して、ブラシ１３は、射出成形によってシート体３１を形成した後に、シート体３１の一方面３３の全面に粘着層２０を塗布することで形成されている。
【００６８】
ブラシ１３のシート体３１に形成された突起部４１ａ〜４１ｃ等の各々は、先端４２が丸められた円柱形状に形成されている。このように形成することで、突起部４１ａ〜４１ｃ等が円錐形状に比べて鋭利な形状とならないため、ペットの皮膚を傷めにくくなり、毛を梳く際のブラシ１３の快適性が増す。
【００６９】
尚、上記の各実施の形態では、ブラシは、特に猫等の愛玩動物の毛を捕集するために使用されるものであったが、例えば犬や人間等の他の動物の毛を捕集するために使用されても良い。又は、例えば絨毯の毛取りのように、他の用途で使用されても良い。
【００７０】
又、上記の各実施の形態では、粘着層は、シート体の一方面の全面に形成されたものであったが、シート体の一方面において少なくとも突起部の外面を覆うものであれば、シート体の一方面の一部のみに形成されていても良い。
【００７１】
更に、上記の各実施の形態では、シート体は、特定形状に形成されたものであったが、例えば平面視円形状や矩形形状のように、それ以外の形状に形成されても良い。
【００７２】
更に、上記の各実施の形態では、突起部は、特定位置に配置されたものであったが、例えば格子状のように、それ以外の位置に配置されても良い。
【００７３】
更に、上記の各実施の形態では、シート体は、特定の素材から形成されたものであったが、可撓性を有する合成樹脂からなるものであれば、例えばポリプロピレン（ＰＰ）やポリスチレン（ＰＳ）のように、それ以外の素材から形成されても良い。
【００７４】
更に、上記の各実施の形態では、粘着層は、特定の素材から形成されたものであったが、粘着性を有するものであれば、それ以外の素材から形成されても良い。
【００７５】
更に、上記の各実施の形態では、突起部の各々は、特定高さに形成されたものであったが、それ以外の高さに形成されても良い。又は、突起部の各々は、異なる高さに形成されても良い。
【００７６】
更に、上記の各実施の形態では、突起部の各々は、底面の直径が特定長さに形成されたものであったが、それ以外の長さに形成されても良い。又は、突起部の各々は、底面の直径が異なる長さに形成されても良い。
【００７７】
更に、上記の第１及び第２の実施の形態の各々では、突起部は、特定形状に形成されたものであったが、外方に向って先細り形状に形成されるものであれば、例えば角錐のように、それ以外の形状に形成されても良い。又は、シート体の一方面において外方側に突起するものであれば、それ以外の形状に形成されても良い。
【００７８】
更に、上記の第３の実施の形態では、突起部は、特定形状に形成されたものであったが、シート体の一方面において外方側に突起するものであれば、例えば角柱のように、それ以外の形状に形成されても良い。
【００７９】
更に、上記の各実施の形態では、シート体は、小突起部が形成されたものであったが、小突起部は形成されていなくても良い。
【００８０】
更に、上記の各実施の形態では、シート体は、全周に堰部が形成されたものであったが、一部にのみ堰部が形成されたものであっても良い。又は、堰部は形成されていなくても良い。
【００８１】
更に、上記の各実施の形態では、ブラシは、平面視において縦方向に湾曲させるものであったが、例えば平面視において横方向や斜め方向のように、その他の方向に湾曲させても良い。
【００８２】
更に、上記の各実施の形態では、ブラシは、使用者の右手によって特定位置で把持されたものであったが、使用者の左手で把持されても良い。又は、使用者の手によって他の位置で把持されても良い。
【００８３】
更に、上記の各実施の形態では、ブラシは、底面側に湾曲させて使用するものであったが、底面側と反対方向の上面側に湾曲させて使用しても良い。
【００８４】
更に、上記の各実施の形態では、シート体は、特定の成形方法で形成されたものであったが、それ以外の方法で形成されても良い。
【実施例】
【００８５】
図１で示した第１の実施の形態によるブラシ１１の効果を検証するために、実験を行った。
１．実験で使用するブラシ
まず、実験で使用するブラシ（実施例１、実施例２−１、実施例２−２、比較例及び参考例のブラシの各々）について説明する。
実施例１：
実施例１のブラシは、オージェイケイ株式会社の商品名「イーロン」を素材として用い、図１で示したブラシ１１と同様の形状に形成したものである。即ち、実施例１のブラシは、ポリプロピレン（ＰＰ）からなるシート体３１と、低スリップ層である粘着層２０とからなる２層体に形成され、層厚みは６０μｍである。尚、実施例１のブラシの平面視面積は、６９１１ｍｍ２である。
実施例２−１及び実施例２−２：
実施例２−１及び実施例２−２のブラシは、図１で示したブラシ１１である。実施例２−１のブラシは、ＰＥＴからなるシート体３１に、ユニチカ株式会社の製品名「ユニチカ  アローベース  ＳＢ−１２００」（ポリオレフィン樹脂からなるヒートシール剤、約３ｇＮ／１５ｍｍからなる粘着層２０を、塗布量７ｇ／ｍ２で塗布して形成したものである。実施例２−２のブラシは、ＰＥＴからなるシート体３１に、ユニチカ株式会社の製品名「ユニチカ  アローベース  ＳＢ−１２００」からなる粘着層２０を、塗布量５ｇ／ｍ２で塗布して形成したものである。尚、実施例２−１及び実施例２−２のブラシの平面視面積は、６９１１ｍｍ２である。又、粘着層２０の厚さ１μｍで、塗布量約１ｇ／ｍ２に相当する。
比較例：
比較例のブラシは、図１で示したブラシ１１において、粘着層２０を形成しなかったものである。即ち、図１で示したブラシ１１において、シート体３１のみが形成されたものである。よって、ポリオレフィン樹脂からなるヒートシール剤の粘着層２０の塗布量は、０ｇ／ｍ２である。尚、比較例のブラシの平面視面積は、６９１１ｍｍ２である。
参考例：
参考例のブラシは、東洋アルミエコープロダクツ株式会社の商品名「肉球柄グルーミングブラシ」で、品番「Ｓ３９６３」のブラシである。
２．実験条件
上記の実施例１、実施例２−１、実施例２−２、比較例及び参考例のブラシの各々を用いて、短毛種系統の猫に対して、３０回ブラッシングを行い、捕集した毛の捕集量（ｇ）を測定した。尚、捕集した毛の捕集量（ｇ）は、捕集した毛を含む捕集後のブラシ全体の重量から、捕集前のブラシ全体の重量を減じて求めた。
３．実験結果及び評価
実験結果及び評価についてまとめる。又、実施例２−１、実施例２−２、比較例及び参考例に関する塗布量と毛の捕集量との関係は、次の表１にまとめた。
【００８６】
【表１】
2018134002.tif 000003
ここで、毛の捕集評価は、比較例のように、毛の捕集量が０ｇの場合を、評価「×」とした。
【００８７】
参考例のように、既存商品による毛の捕集量０．０２２ｇ以上の場合を、評価「○」とした。
【００８８】
毛の捕集量が０ｇより大きく、０．０２２ｇ未満の場合を、評価「△」とした。
【００８９】
表１を参照して、比較例のブラシでは、毛の捕集量が０ｇであり、毛が全く捕集できなかった。
【００９０】
実施例２−２のブラシでは、毛の捕集量が０．０１ｇであり、既存商品である参考例のブラシの毛の捕集量０．０２２ｇに比べて、毛の捕集量は少ないものの、毛を捕集できた。
【００９１】
実施例１のブラシでは、毛の捕集量が０．０２７ｇであり、既存商品である参考例のブラシの毛の捕集量０．０２２ｇに比べて、０．００５ｇ多く捕集できており、充分毛が捕集できた。
【００９２】
又、実施例２−１のブラシでは、毛の捕集量が０．０３１ｇであり、既存商品である参考例のブラシの毛の捕集量０．０２２ｇに比べて、０．００９ｇ多く捕集できており、更に充分毛が捕集できた。
【００９３】
以上のことから、図１で示した第１の実施の形態のブラシ１１による毛の捕集は、効果があることが検証された。尚、図８で示した第２の実施の形態のブラシ１２、及び、図１０で示した第３の実施の形態のブラシ１３においても、同様に、毛の捕集効果が得られることが分かっている。
【００９４】
又、図１で示した第１の実施の形態のブラシ１１において、実施例２−１及び実施例２−２の条件で、粘着層２０の塗布量が４ｇ／ｍ２〜１０ｇ／ｍ２であれば、好ましいことが分かっている。更に、粘着層２０の塗布量が６ｇ／ｍ２〜８ｇ／ｍ２であれば、より好ましいことが分かっている。
【符号の説明】
【００９５】
１１〜１３…ブラシ
２０…粘着層
３１…シート体
３３…一方面
４１…突起部
４２…先端
４３…外面
５０…堰部
尚、各図中同一符号は同一又は相当部分を示す。
【図１】
2018134002.tif 000004
【図２】
2018134002.tif 000005
【図３】
2018134002.tif 000006
【図４】
2018134002.tif 000007
【図５】
2018134002.tif 000008
【図６】
2018134002.tif 000009
【図７】
2018134002.tif 000010
【図８】
2018134002.tif 000011
【図９】
2018134002.tif 000012
【図１０】
2018134002.tif 000013
【図１１】
2018134002.tif 000014
【図１２】
2018134002.tif 000015
【図１３】
2018134002.tif 000016
【図１４】
2018134002.tif 000017
【図１５】
2018134002.tif 000018